(57)【要約】【課題】  煩雑な手順を伴わずに、ユーザ識別子と対応付けられた部分コンテンツの接触履歴を収集することを可能とする情報端末及び収集プログラムを提供する。【解決手段】  情報端末１０（ログ取得ツール１４Ａ）は、部分コンテンツが測定スクリプトを含む対象コンテンツである場合に、測定スクリプトの実行によって対象コンテンツを識別する第１識別子を取得する。ログ取得ツールは、部分コンテンツが対象コンテンツである場合に、ログ取得ツールに割り当てられたユーザ識別子及び第１識別子を含む接触履歴を記録する。【選択図】  図２
2016201017.tif 000002
【特許請求の範囲】
【請求項１】
全体コンテンツを表示するとともに、前記全体コンテンツに埋め込まれた部分コンテンツを表示する表示部と、
前記部分コンテンツが測定スクリプトを含む対象コンテンツである場合に、前記測定スクリプトの実行によって前記対象コンテンツを識別する第１識別子を取得するログ取得ツールとを備え、
前記ログ取得ツールは、前記部分コンテンツが前記対象コンテンツである場合に、前記ログ取得ツールに割り当てられたユーザ識別子及び前記第１識別子を含む接触履歴を記録することを特徴とする情報端末。
【請求項２】
前記ログ取得ツールは、前記部分コンテンツが前記対象コンテンツである場合に、前記ユーザ識別子及び前記第１識別子に加えて、前記情報端末を識別するデバイス識別子を含む接触履歴を記録することを特徴とする請求項１に記載の情報端末。
【請求項３】
前記ログ取得ツールは、前記部分コンテンツが前記対象コンテンツである場合に、前記ユーザ識別子及び前記第１識別子に加えて、前記全体コンテンツを識別する第２識別子を含む接触履歴を記録することを特徴とする請求項１又は請求項２に記載の情報端末。
【請求項４】
前記ログ取得ツールは、前記部分コンテンツが前記測定スクリプトを含まない非対象コンテンツである場合に、前記非対象コンテンツを識別する識別子を記録せずに、前記ユーザ識別子及び前記第２識別子を含む接触履歴を記録することを特徴とする請求項３に記載の情報端末。
【請求項５】
全体コンテンツを表示するとともに、前記全体コンテンツに埋め込まれた部分コンテンツを表示する情報端末に適用される収集プログラムであって、コンピュータに、
前記部分コンテンツが測定スクリプトを含む対象コンテンツである場合に、前記測定スクリプトの実行によって前記対象コンテンツを識別する第１識別子をログ取得ツールによって取得する収集ステップＡと、
前記部分コンテンツが前記対象コンテンツである場合に、前記ログ取得ツールに割り当てられたユーザ識別子及び前記第１識別子を含む接触履歴を前記ログ取得ツールによって記録するステップＢとを実行させることを特徴とする収集プログラム。
【発明の詳細な説明】
【技術分野】
【０００１】
本発明は、全体コンテンツに含まれる部分コンテンツの接触履歴を収集する情報端末及び収集プログラムに関する。
【背景技術】
【０００２】
従来、全体コンテンツ（例えば、ウェブページ）の接触履歴を収集する様々な技術が提案されている（例えば、特許文献１）。例えば、ツールバーや収集メータなどのログ取得ツールを用いる手法、全体コンテンツに埋め込まれる測定スクリプト（例えば、測定タグ）を用いる手法などが提案されている。
【先行技術文献】
【特許文献】
【０００３】
【特許文献１】特開２０１１−５３８１２号公報
【発明の概要】
【発明が解決しようとする課題】
【０００４】
しかしながら、収集メータを用いる手法は、基本的には、ＨＴＭＬ解析等の機能を有しておらず、全体コンテンツを識別する識別子として、アドレスバーに表示されるＵＲＬ（Ｕｎｉｆｏｒｍ  Ｒｅｓｏｕｒｃｅ  Ｌｏｃａｔｏｒ）を収集する。従って、部分コンテンツのクリック等の操作によって部分コンテンツに対するアクセスが行われなければ、部分コンテンツの接触履歴を収集することが難しい。言い換えると、部分コンテンツの露出のみによって、部分コンテンツの接触履歴を収集することが難しい。
【０００５】
一方で、測定スクリプトを用いる方法は、情報端末を識別するデバイス識別子を部分コンテンツの接触履歴と対応付けるが、ユーザ識別子を部分コンテンツの接触履歴と対応付けることができない。デバイス識別子は、例えば、ブラウザ及びサーバドメインの組合せに対して一意に割り当てられるクッキー識別子である。デバイス識別子は、端末（ブラウザ）毎に異なるため、ユーザが複数の端末を用いるケースにおいて、同一ユーザが複数の情報端末を用いて部分コンテンツを露出した場合であっても、部分コンテンツの接触履歴を同一ユーザに対応付けることができない。
【０００６】
そこで、本発明は、上述した課題を解決するためになされたものであり、煩雑な手順を伴わずに、ユーザ識別子と対応付けられた部分コンテンツの接触履歴を収集することを可能とする情報端末及び収集プログラムを提供することを目的とする。
【課題を解決するための手段】
【０００７】
第１の特徴は、情報端末であって、全体コンテンツを表示するとともに、前記全体コンテンツに埋め込まれた部分コンテンツを表示する表示部１３と、前記部分コンテンツが測定スクリプトを含む対象コンテンツである場合に、前記測定スクリプトの実行によって前記対象コンテンツを識別する第１識別子を取得するログ取得ツールとを備え、前記ログ取得ツールは、前記部分コンテンツが前記対象コンテンツである場合に、前記ログ取得ツールに割り当てられたユーザ識別子及び前記第１識別子を含む接触履歴を記録することを要旨とする。
【０００８】
第２の特徴は、第１の特徴において、前記ログ取得ツールは、前記部分コンテンツが前記対象コンテンツである場合に、前記ユーザ識別子及び前記第１識別子に加えて、前記情報端末を識別するデバイス識別子を含む接触履歴を記録することを要旨とする。
【０００９】
第３の特徴は、第１の特徴又は第２の特徴において、前記ログ取得ツールは、前記部分コンテンツが前記対象コンテンツである場合に、前記ユーザ識別子及び前記第１識別子に加えて、前記全体コンテンツを識別する第２識別子を含む接触履歴を記録することを要旨とする。
【００１０】
第４の特徴は、第３の特徴において、前記ログ取得ツールは、前記部分コンテンツが前記測定スクリプトを含まない非対象コンテンツである場合に、前記非対象コンテンツを識別する識別子を記録せずに、前記ユーザ識別子及び前記第２識別子を含む接触履歴を記録することを要旨とする。
【００１１】
第５の特徴は、全体コンテンツを表示するとともに、前記全体コンテンツに埋め込まれた部分コンテンツを表示する情報端末に適用される収集プログラムであって、コンピュータに、前記部分コンテンツが測定スクリプトを含む対象コンテンツである場合に、前記測定スクリプトの実行によって前記対象コンテンツを識別する第１識別子をログ取得ツールによって取得する収集ステップＡと、前記部分コンテンツが前記対象コンテンツである場合に、前記ログ取得ツールに割り当てられたユーザ識別子及び前記第１識別子を含む接触履歴を前記ログ取得ツールによって記録するステップＢとを実行させることを要旨とする。
【発明の効果】
【００１２】
本発明によれば、煩雑な手順を伴わずに、ユーザ識別子と対応付けられた部分コンテンツの接触履歴を収集することを可能とする情報端末及び収集プログラムを提供することができる。
【図面の簡単な説明】
【００１３】
【図１】図１は、実施形態に係る接触履歴収集システム１００を示す図である。
【図２】図２は、実施形態に係る情報端末１０を示すブロック図である。
【図３】図３は、実施形態に係る接触履歴の一例を示す図である。
【図４】図４は、実施形態に係る接触履歴収集方法を示すシーケンス図である。
【発明を実施するための形態】
【００１４】
以下において、実施形態に係る接触履歴収集システムについて図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る情報端末は、全体コンテンツを表示するとともに、前記全体コンテンツに埋め込まれた部分コンテンツを表示する表示部１３と、前記部分コンテンツが測定スクリプトを含む対象コンテンツである場合に、前記測定スクリプトの実行によって前記対象コンテンツを識別する第１識別子を取得するログ取得ツールとを備え、前記ログ取得ツールは、前記部分コンテンツが前記対象コンテンツである場合に、前記ログ取得ツールに割り当てられたユーザ識別子及び前記第１識別子を含む接触履歴を記録する。
【００１７】
実施形態では、ログ取得ツールは、部分コンテンツが測定スクリプトを含む対象コンテンツである場合に、測定スクリプトの実行によって対象コンテンツを識別する第１識別子を取得する。ログ取得ツールは、部分コンテンツが対象コンテンツである場合に、ログ取得ツールに割り当てられたユーザ識別子及び第１識別子を含む接触履歴を記録する。これによって、ＨＴＭＬ解析等の煩雑な手順を伴わずに、ユーザ識別子及び第１識別子を含む接触履歴を収集することができる。
【００１８】
詳細には、接触履歴を収集するという意味において同一の機能を有する測定スクリプト及びログ取得ツールを敢えて組み合わせることによって、ＨＴＭＬ解析等の煩雑な手順を不要としながらも、同一ユーザが用いる複数の情報端末間で共通するユーザ識別子と対応付けながら接触履歴を収集することができる。
【００１９】
［実施形態］
（接触履歴収集システム）
以下において、実施形態に係る接触履歴収集システムについて説明する。図１は、実施形態に係る接触履歴収集システム１００を示す図である。
【００２０】
図１に示すように、接触履歴収集システム１００は、情報端末１０と、コンテンツサーバ２０と、収集サーバ３０と、ネットワーク４０とを有する。
【００２１】
情報端末１０は、パーソナルコンピュータ、携帯端末（スマートフォン等を含む）、タブレット型端末、通信機能を有する各種端末（テレビ、ゲーム機器、カーナビゲーション）などの端末である。情報端末１０は、ユーザが全体コンテンツを閲覧するウェブブラウザなどを制御する機能を有する。全体コンテンツの閲覧は、ウェブブラウザではなくて、アプリケーションによって行われてもよい。ここでは、情報端末１０として、スマートフォン１０Ａ及びパーソナルコンピュータ１０Ｂが例示されている。例えば、情報端末１０及びスマートフォン１０Ａは同一ユーザによって用いられる。
【００２２】
実施形態において、全体コンテンツは、１以上の部分コンテンツを埋め込み可能に構成されたコンテンツ（例えば、ポータルサイトを構成するウェブページ）である。全体コンテンツを識別する第２識別子は、例えば、全体コンテンツの所在を示す情報（例えば、アドレスバーに表示されるＵＲＬ；Ｕｎｉｆｏｒｍ  Ｒｅｓｏｕｒｃｅ  Ｌｏｃａｔｏｒ）である。
【００２３】
実施形態において、部分コンテンツは、全体コンテンツに埋め込まれるコンテンツ（例えば、広告やニュース記事など）である。部分コンテンツとしては、対象コンテンツ及び非対象コンテンツが挙げあれる。対象コンテンツは、接触履歴の収集対象とされる部分コンテンツであり、測定スクリプトを含む。一方で、非対象コンテンツは、接触履歴の収集対象とされていない部分コンテンツであり、測定スクリプトを含まない。対象コンテンツを識別する第１識別子は、対象コンテンツに含まれる測定スクリプトに一意に割り当てられる。なお、部分コンテンツは、動画のコンテンツであってもよく、静止画のコンテンツであってもよい。また、部分コンテンツは、所定時間毎に切り替わるように構成されていてもよい。
【００２４】
なお、測定スクリプトは、対象コンテンツの表示（露出）或いは特定のユーザ操作（例えば、表示（露出）された対象コンテンツの選択操作（クリック操作など））に応じて実行されるように構成されていれば、特に限定されるものではない。測定スクリプトは、例えば、トラッキング画像を取得するように構成された測定タグであってもよく、スマートフォンのアプリケーションを測定するように構成された測定ＳＤＫ（Ｓｏｆｔｗａｒｅ  Ｄｅｖｅｌｏｐｍｅｎｔ  Ｋｉｔ）であってもよい。
【００２５】
コンテンツサーバ２０は、１以上の部分コンテンツを埋め込み可能に構成された全体コンテンツを提供するサーバである。部分コンテンツは、コンテンツサーバ２０に提供されてもよく、コンテンツサーバ２０とは別に設けられた広告サーバによって提供されてもよい。
【００２６】
収集サーバ３０は、情報端末１０によって表示される対象コンテンツの接触履歴を収集する。収集サーバ３０は、情報端末１０によって表示される全体コンテンツの接触履歴を収集してもよい。
【００２７】
実施形態において、接触履歴は、情報端末１０にインストールされるログ取得ツールによって収集される。情報端末１０にインストールされるログ取得ツールは、所定のタイミングで収集サーバ３０に接触履歴を送信するように構成される。ログ取得ツールは、収集サーバ３０から情報端末１０に提供されてもよく、収集サーバ３０とは別に設けられたサーバから情報端末１０に提供されてもよい。
【００２８】
ここで、部分コンテンツが対象コンテンツである場合には、接触履歴は、例えば、ユーザ識別子、デバイス識別子、第１識別子及び第２識別子を含む。一方で、部分コンテンツが非対象コンテンツである場合には、接触履歴は、例えば、第１識別子を含まずに、ユーザ識別子、デバイス識別子及び第２識別子を含む。接触履歴は、全体コンテンツが露出された日時を示す接触日時を含んでもよく、全体コンテンツを検索する際に参照されたコンテンツを識別するリファラー（ＵＲＬなど）を含んでもよい。
【００２９】
ユーザ識別子は、情報端末１０を用いるユーザを識別する識別子である。言い換えると、同一ユーザが複数の情報端末１０を用いるケースであっても、ユーザを一意に識別する識別子である。ユーザ識別子は、ログ取得ツールに対応付けられる。例えば、スマートフォン１０Ａ及びパーソナルコンピュータ１０Ｂが同一ユーザによって用いられるケースにおいて、スマートフォン１０Ａにインストールされるログ取得ツールに対応付けられるユーザ識別子は、パーソナルコンピュータ１０Ｂにインストールされるログ取得ツールに対応付けられるユーザ識別子と同じである。
【００３０】
デバイス識別子は、情報端末１０を識別する識別子である。デバイス識別子は、ブラウザ及びサーバドメインの組合せに対して一意に割り当てられるクッキー識別子である。従って、スマートフォン１０Ａのデバイス識別子は、パーソナルコンピュータ１０Ｂのデバイス識別子と異なることに留意すべきである。
【００３１】
第１識別子は、対象コンテンツを識別する識別子である。例えば、第１識別子は、対象コンテンツに含まれる測定スクリプトに一意に割り当てられる。
【００３２】
第２識別子は、全体コンテンツを識別する識別子である。第２識別子は、全体コンテンツの所在を示す情報（例えば、URL）である。
【００３３】
ネットワーク４０は、情報端末１０、コンテンツサーバ２０及び収集サーバ３０を接続するネットワークである。ネットワーク４０は、例えば、インターネットである。或いは、ネットワーク４０は、移動体通信網を含んでもよい。
【００３４】
（情報端末）
以下において、実施形態に係る情報端末について説明する。図２は、実施形態に係る情報端末１０を示すブロック図である。なお、図２では、情報端末１０を構成する機能ブロックが示されている。図２に示すように、情報端末１０は、通信部１１と、記憶部１２と、表示部１３と、制御部１４とを有する。
【００３５】
通信部１１は、通信モジュール等によって構成されており、ネットワーク４０上に設けられた各種サーバと通信を行う。
【００３６】
記憶部１２は、ＲＯＭ、ＲＡＭ又はＨＤＤによって構成されており、情報端末１０を制御するためのプログラムを記憶する。例えば、記憶部１２は、ログ取得ツール１４Ａに対応するプログラムを記憶するとともに、ログ取得ツール１４Ａによって収集される接触履歴を記憶する。
【００３７】
表示部１３は、液晶パネル等によって構成されており、各種情報を表示する。表示部１３は、全体コンテンツを表示するとともに、全体コンテンツに埋め込まれた部分コンテンツを表示する。
【００３８】
制御部１４は、ＣＰＵによって構成されており、記憶部１２に記憶されたプログラムに従って情報端末１０を制御する。例えば、制御部１４は、部分コンテンツを含む全体コンテンツを表示部１３上に表示するウェブブラウザを制御する。また、制御部１４は、接触履歴（ログ）を収集するログ取得ツール１４Ａを制御する。なお、ログ取得ツール１４Ａは、情報端末１０にインストール可能なツールであり、接触履歴（ログ）を収集する機能を有するツールであればよい。ログ取得ツール１４Ａは、ウェブブラウザにインストール可能なツールバーであってもよく、接触履歴（ログ）を収集するように構成されたソフトウェア（収集メータ）であってもよい。
【００３９】
ログ取得ツール１４Ａは、部分コンテンツが測定スクリプトを含む対象コンテンツである場合に、測定スクリプトの実行によって対象コンテンツを識別する第１識別子を取得する。具体的には、ログ取得ツール１４Ａは、対象コンテンツを含む全体コンテンツの表示に伴って測定スクリプトを実行するとともに、測定スクリプトの実行に伴って測定スクリプトに割り当てられた第１識別子を取得する。ログ取得ツール１４Ａは、部分コンテンツが対象コンテンツである場合に、ログ取得ツール１４Ａに割り当てられたユーザ識別子及び第１識別子を含む接触履歴を記憶部１２に記録する。
【００４０】
実施形態において、ログ取得ツール１４Ａは、部分コンテンツが対象コンテンツである場合に、ユーザ識別子及び第１識別子に加えて、デバイス識別子を含む接触履歴を記録することが好ましい。ログ取得ツール１４Ａは、部分コンテンツが対象コンテンツである場合に、ユーザ識別子及び第１識別子に加えて、全体コンテンツを識別する第２識別子を含む接触履歴を記録することが好ましい。ログ取得ツール１４Ａは、部分コンテンツが対象コンテンツである場合に、ユーザ識別子、デバイス識別子、第１識別子及び第２識別子を含む接触履歴を記録してもよい。
【００４１】
実施形態において、ログ取得ツール１４Ａは、部分コンテンツが非対象コンテンツである場合に、非対象コンテンツを識別する識別子を記録せずに、ユーザ識別子及び第２識別子を含む接触履歴を記録することが好ましい。ログ取得ツール１４Ａは、部分コンテンツが非対象コンテンツである場合に、ユーザ識別子及び第２識別子に加えて、デバイス識別子を含む接触履歴を記録することが好ましい。なお、部分コンテンツが非対象コンテンツである場合には、測定スクリプトが実行されないため、ＨＴＭＬ解析等の機能をログ取得ツール１４Ａが有していなければ、非対象コンテンツを識別する識別子をログ取得ツール１４Ａが収集することができないことに留意すべきである。
【００４２】
実施形態において、ログ取得ツール１４Ａは、上述した通信部１１を用いて接触履歴を収集サーバ３０に送信する。具体的には、ログ取得ツール１４Ａは、ウェブブラウザやアプリケーションの起動に応じて接触履歴を送信してもよい。或いは、ログ取得ツール１４Ａは、ウェブブラウザやアプリケーションの終了に応じて接触履歴を送信してもよい。或いは、ログ取得ツール１４Ａは、所定周期毎に接触履歴を送信してもよい。
【００４３】
（接触履歴）
以下において、実施形態に係る接触履歴について説明する。図３は、実施形態に係る接触履歴を示す図である。接触履歴は、ログ取得ツール１４Ａによって収集され、例えば、記憶部１２に記録される。
【００４４】
図３に示すように、部分コンテンツが対象コンテンツである場合には、接触履歴は、ユーザ識別子、デバイス識別子、第２識別子、フラグ、第１識別子及び接触日時を含む（Ｎｏ．１，２など）。一方で、部分コンテンツが非対象コンテンツである場合には、接触履歴は、ユーザ識別子、デバイス識別子、第２識別子、フラグ及び接触日時を含む（Ｎｏ．３，６など）。ここで、フラグは、部分コンテンツが対象コンテンツであるか否かを示す情報である。部分コンテンツが対象コンテンツである場合に、フラグに“１”がセットされる。
【００４５】
（接触履歴の収集方法）
以下において、実施形態に係る接触履歴の収集方法について説明する。図４は、実施形態に係る接触履歴の収集方法を示すシーケンス図である。
【００４６】
図４に示すように、ステップＳ１０において、情報端末１０は、ログ取得ツール１４Ａを要求するためのメッセージを収集サーバ３０に送信する。このようなメッセージは、例えば、情報端末１０を識別するデバイス識別子及び情報端末１０を用いるユーザを識別するユーザ情報（例えば、ユーザが所持するメールアドレスなど）を含む。
【００４７】
ステップＳ１１において、収集サーバ３０は、ログ取得ツール１４Ａに割り当てられるユーザ識別子とデバイス識別子とを対応付ける。ここで、収集サーバ３０は、同一ユーザが用いる１台目の情報端末１０からメッセージを受信した場合には、ログ取得ツール１４Ａにユーザ識別子を割り当てるとともに、ユーザ識別子とデバイス識別子とを対応付ける。一方で、収集サーバ３０は、同一ユーザが用いる２台目以降の情報端末１０からメッセージを受信した場合には、ログ取得ツール１４Ａにユーザ識別子を割り当てずに、割当済みのユーザ識別子とデバイス識別子とを対応付ける。なお、ユーザ識別子は、ステップＳ１０で受信するユーザ情報であってもよい。
【００４８】
ステップＳ１２において、情報端末１０は、ユーザ識別子が割り当てられたログ取得ツール１４Ａを収集サーバ３０から受信する。これによって、ログ取得ツール１４Ａが情報端末１０にインストールされる。
【００４９】
ステップＳ１３において、情報端末１０は、全体コンテンツを要求するためのメッセージをコンテンツサーバ２０に送信する。
【００５０】
ステップＳ１４において、情報端末１０は、全体コンテンツをコンテンツサーバ２０から受信する。ここでは、全体コンテンツが部分コンテンツを含み、部分コンテンツが対象コンテンツであるケースについて説明を続ける。
【００５１】
ステップＳ１５において、情報端末１０（ログ取得ツール１４Ａ）は、対象コンテンツに含まれる測定スクリプトを実行する。情報端末１０（ログ取得ツール１４Ａ）は、測定スクリプトの実行によって対象コンテンツを識別する第１識別子を取得する。
【００５２】
ステップＳ１６において、情報端末１０（ログ取得ツール１４Ａ）は、トラッキング画像を要求するためのメッセージを収集サーバ３０に送信する。
【００５３】
ステップＳ１７において、情報端末１０（ログ取得ツール１４Ａ）は、トラッキング画像を収集サーバ３０から受信する。
【００５４】
なお、実施形態においては、接触履歴がログ取得ツール１４Ａによって収集されるため、ステップＳ１６及びステップＳ１７の処理は省略されてもよい。また、ステップＳ１６において、デバイス識別子（例えば、クッキー識別子）とともに、第１識別子や第２識別子を収集サーバ３０に送信する必要がないことに留意すべきである。
【００５５】
ステップＳ１８において、情報端末１０（ログ取得ツール１４Ａ）は、ユーザ識別子及び第１識別子を含む接触履歴を記憶部１２に記録する。情報端末１０（ログ取得ツール１４Ａ）は、ユーザ識別子、デバイス識別子、第１識別子及び第２識別子を含む接触履歴を記録することが好ましい。接触履歴は、図３に示すように、フラグ及び接触日時を含んでもよい。
【００５６】
図４に示す例では、部分コンテンツが対象コンテンツであるケースについて説明したが、部分コンテンツが非対象コンテンツであるケースにおいては、情報端末１０（ログ取得ツール１４Ａ）は、ステップＳ１５〜ステップＳ１７の処理が省略される。このようなケースにおいて、情報端末１０（ログ取得ツール１４Ａ）は、ユーザ識別子、デバイス識別子及び第２識別子を含む接触履歴を記録することが好ましい。接触履歴は、図３に示すように、フラグ及び接触日時を含んでもよい。
【００５７】
ステップＳ１９において、情報端末１０（ログ取得ツール１４Ａ）は、接触履歴を収集サーバ３０に送信する。上述したように、情報端末１０（ログ取得ツール１４Ａ）は、ウェブブラウザやアプリケーションの起動に応じて接触履歴を送信してもよい。或いは、情報端末１０（ログ取得ツール１４Ａ）は、ウェブブラウザやアプリケーションの終了に応じて接触履歴を送信してもよい。或いは、情報端末１０（ログ取得ツール１４Ａ）は、所定周期毎に接触履歴を送信してもよい。
【００５８】
（作用及び効果）
実施形態では、情報端末１０（ログ取得ツール１４Ａ）は、部分コンテンツが測定スクリプトを含む対象コンテンツである場合に、測定スクリプトの実行によって対象コンテンツを識別する第１識別子を取得する。ログ取得ツールは、部分コンテンツが対象コンテンツである場合に、ログ取得ツールに割り当てられたユーザ識別子及び第１識別子を含む接触履歴を記録する。これによって、ＨＴＭＬ解析等の煩雑な手順を伴わずに、ユーザ識別子及び第１識別子を含む接触履歴を収集することができる。
【００５９】
詳細には、接触履歴を収集するという意味において同一の機能を有する測定スクリプト及びログ取得ツールを敢えて組み合わせることによって、ＨＴＭＬ解析等の煩雑な手順を不要としながらも、同一ユーザが用いる複数の情報端末間で共通するユーザ識別子と対応付けながら接触履歴を収集することができる。
【００６０】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００６１】
実施形態では、ログ取得ツール１４Ａを提供するサーバは、接触履歴を収集するサーバと同一である。しかしながら、実施形態はこれに限定されるものではない。ログ取得ツール１４Ａを提供するサーバは、接触履歴を収集するサーバと異なっていてもよい。
【００６２】
実施形態では特に触れていないが、ログ取得ツール１４Ａがインストールされていない情報端末１０は、測定スクリプトの実行に応じて、デバイス識別子、第１識別子及び第２識別子を含む接触履歴を収集サーバ３０に送信してもよい。但し、このようなケースでは、接触履歴はユーザ識別子を含まないことに留意すべきである。
【００６３】
実施形態では特に触れていないが、情報端末１０（特に、ログ取得ツール１４Ａ）が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００６４】
或いは、情報端末１０（特に、ログ取得ツール１４Ａ）が行う各処理を実行するためのプログラムを記憶するメモリ及びメモリに記憶されたプログラムを実行するプロセッサによって構成されるチップが提供されてもよい。
【符号の説明】
【００６５】
１０…情報端末、１１…通信部、１２…記憶部、１３…表示部、１４…制御部、２０…コンテンツサーバ、３０…収集サーバ、４０…ネットワーク、１００…接触履歴収集システム
【図１】
2016201017.tif 000003
【図２】
2016201017.tif 000004
【図３】
2016201017.tif 000005
【図４】
2016201017.tif 000006